(57)【要約】【課題】本発明は、主ロープの本数や昇降行程の違いに対して容易に適用することができるエレベータのアンバランス重量補償装置を得ることを目的とするものである。【解決手段】かごの下部と釣合おもりの下部との間には、ワイヤロープ６がＵ字状に吊り下げられている。ワイヤロープ６の外周部は、樹脂により被覆されている。このワイヤロープ６には、複数の円筒状の中空容器７が通されている。各中空容器７の中心には、ワイヤロープ６を通すための貫通孔が設けられている。中空容器７は、かごの下部と釣合おもりの下部との間にＵ字状に並べて吊り下げられている。また中空容器７は、ワイヤロープ６の全長に渡って数珠状に設けられている。中空容器７内には、重量調整材が所定の量ずつ均等に入れられている。【選択図】図２
2009196744.tif 000002
【特許請求の範囲】
【請求項１】
かごの下部と釣合おもりの下部との間にＵ字状に並べられて吊り下げられており、それぞれ重量調整材が入れられる複数の中空容器
を備え、
上記各中空容器に入れられる重量調整材の量を調整することにより、上記重量調整材を含む上記中空容器の重量が調整可能となっていることを特徴とするエレベータのアンバランス重量補償装置。
【請求項２】
上記かごの下部と上記釣合おもりの下部との間にＵ字状に吊り下げられているワイヤロープ
をさらに備え、
上記中空容器は、上記ワイヤロープにより貫通されて上記ワイヤロープに数珠状に取り付けられていることを特徴とする請求項１記載のエレベータのアンバランス重量補償装置。
【請求項３】
上記ワイヤロープの外周部は樹脂により被覆されていることを特徴とする請求項２記載のエレベータのアンバランス重量補償装置。
【発明の詳細な説明】
【技術分野】
【０００１】
この発明は、かご位置により変化するかご側と釣合おもり側とのアンバランス重量を補償するエレベータのアンバランス重量補償装置に関するものである。
【背景技術】
【０００２】
従来のアンバランス重量補償装置では、かごと釣合おもりとの間に金属製の鎖が吊り下げられており、この鎖が合成樹脂製の管で被覆されている（例えば、特許文献１参照）。
【０００３】
【特許文献１】特開２０００−３４０７４号公報
【発明の開示】
【発明が解決しようとする課題】
【０００４】
上記のように構成された従来のアンバランス重量補償装置では、主ロープの本数や昇降行程によって変化するかご側と釣合おもり側とのアンバランス重量に応じて、適用する金属製の鎖の種類が増えてしまう問題点がある。
【０００５】
この発明は、上記のような課題を解決するためになされたものであり、主ロープの本数や昇降行程の違いに対して容易に適用することができるエレベータのアンバランス重量補償装置を得ることを目的とする。
【課題を解決するための手段】
【０００６】
この発明に係るエレベータのアンバランス重量補償装置は、かごの下部と釣合おもりの下部との間にＵ字状に並べられて吊り下げられており、それぞれ重量調整材が入れられる複数の中空容器を備え、各中空容器に入れられる重量調整材の量を調整することにより、重量調整材を含む中空容器の重量が調整可能となっている。
【発明の効果】
【０００７】
この発明のエレベータのアンバランス重量補償装置は、中空容器に入れる重量調整材の量を調整することにより、単位長さ当たりの重量を調整することができ、これにより、主ロープの本数や昇降行程の違いに対して容易に適用することができる。
【発明を実施するための最良の形態】
【０００８】
以下、この発明を実施するための最良の形態について、図面を参照して説明する。
実施の形態１.
図１は、この発明の実施の形態１によるエレベータを示す構成図である。図１において、巻上機１の駆動シーブには、主ロープ２が懸架されている。この主ロープ２の一端にはかご３、他端には釣合おもり４が吊り下げられている。かご３の下部と釣合おもり４の下部との間には、アンバランス重量補償装置５が吊り下げられている。
【０００９】
図２は、図１のアンバランス重量補償装置５を示す正面図である。かご３と釣合おもり４との間には、ワイヤロープ６がＵ字状に吊り下げられている。ワイヤロープ６の外周部は、樹脂により被覆されている。ワイヤロープ６の一端部は、かご３の下部に接続されている。ワイヤロープ６の他端部は、釣合おもり４の下部に接続されている。ワイヤロープ６には、複数の円筒状の中空容器７が通されている。中空容器７は、かご３の下部と釣合おもり４の下部との間にＵ字状に並べて吊り下げられている。また、中空容器７は、ワイヤロープ６の全長に渡って数珠状に設けられている。これにより、ワイヤロープ６の長さ方向への各中空容器７の変位は規制されている。また、各中空容器７は、断熱性樹脂により構成されている。
【００１０】
図３は図２の中空容器７の断面図、図４は図３のＩＶ部を拡大して示す分解斜視図である。各中空容器７の中心には、ワイヤロープ６を通すための貫通孔７ａが設けられている。中空容器７内には、重量調整材８が所定の量ずつ均等に入れられている。重量調整材８としては、例えば、砂などの安価で計量が容易な固体、又は不揮発性の液体が用いられる。この例では、全ての中空容器７の重量（重量調整材８を含めた重量）が等しくなるように重量調整材８の量が調整されている。また、中空容器７の重量を調整することにより、アンバランス重量補償装置５の単位長さ当たりの重量が調整可能となっている。
【００１１】
中空容器７の軸方向一端部には、中空容器７内に重量調整材８を注入するための注入口７ｂが設けられている。注入口７ｂには、ボルト状の栓９が螺着されている。注入口７ｂの周縁部と栓９との間には、リング状の軟質座金１０が介在されている。栓９の端部には、例えば図５に示すように、六角レンチ等の工具１１を挿入するための凹部９ａが設けられている。凹部９ａに工具１１を挿入して栓９を回転させることにより、栓９が注入口７ｂに対して脱着され、注入口７ｂが開閉される。
【００１２】
このようなアンバランス重量補償装置５では、中空容器７に入れる重量調整材８の量を調整することにより、単位長さ当たりの重量を調整することができるので、主ロープ２の本数や昇降行程の違いに対して容易に適用することができ、コストを低減することができる。
【００１３】
また、中空容器７はワイヤロープ６により貫通されて支持されているので、簡単な構成により中空容器７を安定して支持することができる。
さらに、ワイヤロープ６の外周部が樹脂により被覆されているので、ワイヤロープ６と中空容器７との接触による摩耗を低減することができる。
さらにまた、中空容器７は耐熱性樹脂により構成されているので、樹脂成型により容易に量産することができるとともに、昇降路内の温度上昇による中空容器７の変形を防止することができる。
【００１４】
なお、上記の例では、ワイヤロープ６により中空容器７を数珠状に支持したが、ワイヤロープ６を用いずに、互いに隣接する中空容器７を屈伸可能に連結してもよい。
また、中空容器７の形状は円筒状に限定されるものではなく、例えば球状やラクビーボール状であってもよい。
さらに、中空容器７は、必ずしもワイヤロープ６の全長に渡って設けなくてもよく、かご３の下部や釣合おもり４の下部との間にある程度の間隔を設けてもよい。但し、その場合、ワイヤロープ６の長さ方向への中空容器７の変位を阻止するためのストッパをワイヤロープ６に設けるのが好適である。
さらにまた、図１では、１：１ローピング方式のエレベータ装置を示したが、この発明のアンバランス重量補償装置５は、他のローピング方式、例えば２：１ローピング方式のエレベータ装置にも適用できる。
【図面の簡単な説明】
【００１５】
【図１】この発明の実施の形態１によるエレベータを示す構成図である。
【図２】図１のエレベータのアンバランス重量補償装置を示す正面図である。
【図３】図２の中空容器の断面図を示す断面図である。
【図４】図３の中空容器の注入口を拡大して示す分解断面斜視図である。
【図５】図４の栓に工具を結合した状態を示す側面図である。
【符号の説明】
【００１６】
３  かご、４  釣合おもり、５  アンバランス重量補償装置、６  ワイヤロープ、７  中空容器、８  重量調整材。
【図１】
2009196744.tif 000003
【図２】
2009196744.tif 000004
【図３】
2009196744.tif 000005
【図４】
2009196744.tif 000006
【図５】
2009196744.tif 000007